(57)【要約】【課題】  水タンクと蒸気筒とを一体的に係合させることにより、水タンクの着脱時には蒸気筒も共に着脱されるようにし、蒸気筒の取付忘れが生じないようにする。【解決手段】  水を収容する水タンク３と、該水タンク３から給水通路６を介して供給された水を加熱蒸発させる蒸発部４と、該蒸発部４において生じた蒸気Ｓを室内へ排出する蒸気筒５とを備えた加湿器において、前記水タンク３と前記蒸気筒５とを、両者間に所定の断熱空間１７を確保した状態で係合部（具体的には、環状突起１８，１９と係合突起２０，２１と）により一体的に係合して、蒸気筒５を通る蒸気Ｓの熱が水タンク３に伝わりにくくなるようにするとともに、水タンク３の取付時に蒸気筒５の取付忘れがなくなるようにしている。【選択図】        図２
2009281677.tif 000002
【特許請求の範囲】
【請求項１】
水を収容する水タンクと、該水タンクから給水通路を介して供給された水を加熱蒸発させる蒸発部と、該蒸発部において生じた蒸気を室内へ排出する蒸気筒とを備えた加湿器であって、前記水タンクと前記蒸気筒とを、両者間に所定の断熱空間を確保した状態で係合部により一体的に係合したことを特徴とする加湿器。
【請求項２】
前記水タンクと前記蒸気筒とを係合させた状態においては、前記蒸気筒における蒸気排出口が前記水タンクの天面より突出しないように構成したことを特徴とする請求項１記載の加湿器。
【請求項３】
前記水タンクの外周側および上部を囲むカバー部材には、該カバー部材内に籠もる熱気を排出させるための熱気排出口を形成したことを特徴とする請求項１および２のいずれか一項記載の加湿器。
【請求項４】
前記水タンクの外周側および上部を囲むカバー部材と該カバー部材を嵌挿固定するための基台との間には、前記カバー部材内に籠もる熱気を排出させるための熱気排出用の隙間を設けたことを特徴とする請求項１および２のいずれか一項記載の加湿器。
【発明の詳細な説明】
【技術分野】
【０００１】
本願発明は、加湿器に関し、さらに詳しくは蒸気排出用の蒸気筒と水タンクとを一体的に係合させることにより、蒸気筒の取付忘れによる水タンクの過昇温を防止し得るようにした加湿器に関するものである。
【背景技術】
【０００２】
水タンクから供給される水を加熱蒸発させる蒸気発生装置を備え、該蒸気発生装置において発生された蒸気で室内を加湿する加湿器は従来からよく知られており、この種加湿器において、水タンクと該水タンクから供給される水を蒸発させて得た蒸気を案内する蒸気筒とが近接する構造とすると、水タンク全体が蒸気筒を通る蒸気によって暖められ、水タンク内の空気温度が上昇して水を押し出してしまうという不具合が発生する。そこで、デザイン的な制約で水タンクで蒸気筒を囲む構造としたものにおいて、蒸気筒と水タンクとの間に所定の断熱空間を確保することにより、蒸気筒を通る蒸気によって水タンクが暖められることがないようにした加湿器が既に提案されている（例えば、特許文献１参照）。
【０００３】
【特許文献１】特開平７−３２４７８５号公報
【発明の開示】
【発明が解決しようとする課題】
【０００４】
ところで、特許文献１に開示されている加湿器の場合、水タンクと蒸気筒とは別々の取付構造となっているところから、蒸気筒の取付を忘れたままで、加湿器の運転を行うおそれがある。すると、水タンクから供給された水が蒸発して得られる蒸気によって水タンクが直接暖められることとなり、水タンク内の空気温度が上昇して水を押し出してしまうという不具合が発生するおそれがある。
【０００５】
本願発明は、上記の点に鑑みてなされたもので、水タンクと蒸気筒とを一体的に係合させることにより、水タンクの着脱時には蒸気筒も共に着脱されるようにし、蒸気筒の取付忘れが生じないようにすることを目的としている。
【課題を解決するための手段】
【０００６】
本願発明では、上記課題を解決するための第１の手段として、水を収容する水タンクと、該水タンクから給水通路を介して供給された水を加熱蒸発させる蒸発部と、該蒸発部において生じた蒸気を室内へ排出する蒸気筒とを備えた加湿器において、前記水タンクと前記蒸気筒とを、両者間に所定の断熱空間を確保した状態で係合部により一体的に係合している。
【０００７】
上記のように構成したことにより、水タンクと蒸気筒とが、両者間に所定の断熱空間を確保した状態で係合部により一体的に係合せしめられることとなり、蒸気筒を通る蒸気の熱が水タンクに伝わりにくくなる。従って、水タンク内の温度が上昇しにくくなるところから、水タンク内の水が押し出されるということもなくなる。しかも、水タンクと蒸気筒とが一体的に係合せしめられているところから、水タンク着脱時には、蒸気筒も必ず着脱されることとなり、水タンク取付時に蒸気筒の取付忘れがなくなる。
【０００８】
本願発明では、さらに、上記課題を解決するための第２の手段として、上記第１の手段を備えた加湿器において、前記水タンクと前記蒸気筒とを係合させた状態においては、前記蒸気筒における蒸気排出口が前記水タンクの天面より突出しないように構成することもでき、そのように構成した場合、水タンクが空になった時、水タンクに蒸気筒を係合させた状態で水タンクを取り外し、水タンクに給水するときには、水タンクを逆さまにして行うが、その時蒸気筒の蒸気排出口が水タンクの天面より突出しない構造となっているので、邪魔になるということがない。
【０００９】
本願発明では、さらに、上記課題を解決するための第３の手段として、上記第１又は第２の手段を備えた加湿器において、前記水タンクの外周側および上部を囲むカバー部材に、該カバー部材内に籠もる熱気を排出させるための熱気排出口を形成することもでき、そのように構成した場合、水タンクの外周側および上部を囲むカバー部材内に籠もる熱気が熱気排出口から外方へ排出されることとなり、カバー部材内部の温度上昇が抑えられ、カバー部材内面への結露発生を防止することができる。
【００１０】
本願発明では、さらに、上記課題を解決するための第４の手段として、上記第１又は第２の手段を備えた加湿器において、前記水タンクの外周側および上部を囲むカバー部材と該カバー部材を嵌挿固定するための基台との間に、前記カバー部材内に籠もる熱気を排出させるための熱気排出用の隙間を設けることもでき、そのように構成した場合、水タンクの外周側および上部を囲むカバー部材内に籠もる熱気が熱気排出用の隙間から外方へ排出されることとなり、カバー部材内部の温度上昇が抑えられ、カバー部材内面への結露発生を防止することができる。
【発明の効果】
【００１１】
本願発明の第１の手段によれば、水を収容する水タンクと、該水タンクから給水通路を介して供給された水を加熱蒸発させる蒸発部と、該蒸発部において生じた蒸気を室内へ排出する蒸気筒とを備えた加湿器において、前記水タンクと前記蒸気筒とを、両者間に所定の断熱空間を確保した状態で係合部により一体的に係合しているので、蒸気筒を通る蒸気の熱が水タンクに伝わりにくくなり、水タンク内の温度が上昇しにくくなるところから、水タンク内の水が押し出されるということもなくなるという効果がある。しかも、水タンクと蒸気筒とが一体的に係合せしめられているところから、水タンク着脱時には、蒸気筒も必ず着脱されることとなり、水タンク取付時に蒸気筒の取付忘れがなくなるという効果もある。
【００１２】
本願発明の第２の手段におけるように、上記第１の手段を備えた加湿器において、前記水タンクと前記蒸気筒とを係合させた状態においては、前記蒸気筒における蒸気排出口が前記水タンクの天面より突出しないように構成することもでき、そのように構成した場合、水タンクが空になった時、水タンクに蒸気筒を係合させた状態で水タンクを取り外し、水タンクに給水するときには、水タンクを逆さまにして行うが、その時蒸気筒の蒸気排出口が水タンクの天面より突出しない構造となっているので、邪魔になるということがない。
【００１３】
本願発明の第３の手段におけるように、上記第１又は第２の手段を備えた加湿器において、前記水タンクの外周側および上部を囲むカバー部材に、該カバー部材内に籠もる熱気を排出させるための熱気排出口を形成することもでき、そのように構成した場合、水タンクの外周側および上部を囲むカバー部材内に籠もる熱気が熱気排出口から外方へ排出されることとなり、カバー部材内部の温度上昇が抑えられ、カバー部材内面への結露発生を防止することができる。
【００１４】
本願発明の第４の手段におけるように、上記第１又は第２の手段を備えた加湿器において、前記水タンクの外周側および上部を囲むカバー部材と該カバー部材を嵌挿固定するための基台との間に、前記カバー部材内に籠もる熱気を排出させるための熱気排出用の隙間を設けることもでき、そのように構成した場合、水タンクの外周側および上部を囲むカバー部材内に籠もる熱気が熱気排出用の隙間から外方へ排出されることとなり、カバー部材内部の温度上昇が抑えられ、カバー部材内面への結露発生を防止することができる。
【発明を実施するための最良の形態】
【００１５】
以下、添付の図面を参照して、本願発明を幾つかの好適な実施の形態について説明する。
【００１６】
第１の実施の形態
図１ないし図５には、本願発明の第１の実施の形態にかかる加湿器が示されている。
【００１７】
この加湿器は、水を収容する透光材料からなる水タンク３と、該水タンク３から給水通路６を介して供給された水を加熱蒸発させる蒸発部４と、該蒸発部４において生じた蒸気を室内へ排出する蒸気筒５とを備えており、前記蒸発部４および前記給水通路６を備えた基台２上に前記水タンク３を着脱自在に装着して加湿器本体１が構成されている。
【００１８】
前記基台２は、図３および図４に示すように、円形の外形形状を有しており、その略中央部には、前記蒸発部４が設けられている。該蒸発部４は、前記基台２の略中央部に形成された円形の穴７の底部に設けられたアルミ合金製の蒸発皿８と該蒸発皿８の下面に配設された加熱源である電気ヒータ９とからなっている（図１参照）。符号１０は前記電気ヒータ９への通電を制御するサーモスタットである。
【００１９】
前記蒸気筒５は、耐熱材料（例えば、耐熱合成樹脂）からなっており、前記穴７に対して嵌挿される嵌挿部５ａと該嵌挿部５ａから上方に延設された筒状の蒸気通路部５ｂとからなっている。該蒸気通路部５ｂの頂部には、蒸気筒５内を上昇する蒸気Ｓを室内へ排出する蒸気排出口１１が形成されている。
【００２０】
前記給水通路６は、前記基台２に形成された上方が開放された溝とされており、前記水タンク３の給水弁１２（図２参照）がセットされる給水部６ａから前記蒸気筒５が嵌挿される前記穴７に至る通路とされていて、前記穴７の外側を半周する形状とされている。このような形状としたことにより、給水通路６の容積を十分に確保することができることとなっているが、このような通路形状としたことで、前記穴７の位置を、基台２の中心から給水通路６が存在しない側に稍偏心させざるを得ないこととなっている。その結果、前記蒸気筒５における蒸気通路部５ｂを加湿器本体１の中心に立設させるためには、図１に示すように、蒸気筒５を、嵌挿部５ａと蒸気通路部５ｂとの間に傾斜接続部５ｃが形成されることとなる。符号１３は前記給水通路６の途中に設けられて、該給水通路６内に水がなくなった状態（換言すれば、蒸発部４の空焚き状態）を検知するためのフロートスイッチ、１４は水タンク３を取り付けた状態において給水弁１２を開弁状態に保持するための作動突起である。
【００２１】
また、前記基台２の上部には、何らかの原因（例えば、水タンク３の過熱）により水タンク３から大量の水が出たときに前記給水通路６の収容容積を超えてオーバーフローした水を一時的に貯留する貯水部１５が前記基台２の上部外周に一体に突設された所定高さの周壁１６に囲まれた空間として形成されている。前記給水通路６および前記貯水部１５の容積は、前記水タンク３内の水が全部出たときにおいても、加湿器本体１から水が漏れ出ることがないように、前記給水通路６および貯水部１５に水を溜め込み得る大きさとされている。
【００２２】
前記水タンク３は、前記蒸気筒４を囲む円形の環状形状とされ、前記貯水部１５の外周側に位置した状態で取り付けられることとなっており、その内周面と前記蒸気筒５の外周面との間には、蒸気筒５の熱が水タンク３に伝わらないように所定の断熱空間１７が確保されることとなっている。また、前記水タンク３は、下部水タンク３ａと上部水タンク３ｂとを結合して一体化されており、前記下部水タンク３ａと上部水タンク３ｂとの内周面には、前記蒸気筒５の外周面において上下位置に一体に突設された環状突起１８，１９に対して上方および下方からそれぞれ係合する係合突起２０，２１がそれぞれ一体に突設されている。このようにしたことにより、水タンク３と蒸気筒５とは、係合部として作用する係合突起２０，２１と環状突起１８，１９とにより一体化されることとなり、水タンク３の取付時には必ず蒸気筒５も取り付けられることとなり、蒸気筒５の取付忘れが生じることがなくなる。なお、係合突起２０，２１はそれぞれ４個形成されているが、下部水タンク３ａ側の係合突起２０のうち１個は回転止めのため異なった形状とされている（図５参照）。
【００２３】
また、前記水タンク３と前記蒸気筒５とを係合させた状態においては、前記蒸気筒５における蒸気排出口１１が前記水タンク３の天面より突出しないように構成されている。このようにすると、水タンク３が空になった時、水タンク３に蒸気筒５を係合させた状態で水タンク３を取り外し、水タンク３に給水するときには、水タンク３を逆さまにして行うが、その時蒸気筒５の蒸気排出口１１が水タンク３の天面より突出しない構造となっているので、邪魔になるということがない。
【００２４】
さらに、前記下部水タンク３ａの外周には、前記貯水部１５の周壁１６の上部が係合する係合段部２２が形成されている。従って、水タンク３と貯水部１５の底部との間には、所定の空間が確保されることとなる。なお、上部水タンク３ｂの外周面は、上方に向かうにしたがってやや内側に傾斜せしめられている。また、蒸気筒５の高さは、水タンク３の高さよりやや低くされている。
【００２５】
ところで、上記したように、水タンク３と蒸気筒５とを一体的に係合させた状態で取り付けようとすると、水タンク３における給水弁１２と蒸気筒５とが同じ高さだと両者の位置合わせを同時にする必要があり、取り付け作業が難しくなるという問題が生じるおそれがある。そこで、本実施の形態においては、蒸気筒５が給水弁１２より所定寸法Ｄだけ（例えば、１０ｍｍ）長くなるようにしている。このようにすると、水タンク３と蒸気筒５とを一体的に係合させた状態で取り付ける際には、まず蒸気筒５を基台２の穴７−３２４７８５に嵌挿させた後に、給水弁１２を給水通路６の給水部６ａにセットさせることが可能となり、水タンク３および蒸気筒５の基台２への取付が容易に行えることとなる。
【００２６】
前記基台２上には、前記水タンク３の外周側を囲む透光材料からなる円筒形状のカバー２３が前記基台２の上部外周に形成された係合段部２４に対して嵌挿された状態で配設されている。そして、前記カバー２３の上部開口には、陶器製の皿状体２５が着脱自在に装着されており、該皿状体２５の中央部には、前記蒸気筒５が臨む開口２６が形成されている。また、前記皿状体２５の上面は、該上面に生じた結露水を蒸気筒５側に誘導すべく前記開口２６に向かって下り勾配となる傾斜面とされている。つまり、前記カバー２３と前記皿状体２５とによって前記水タンク３の外周側および上部を囲むカバー部材Ａが構成されることとなっている。さらに、前記皿状体２５には、蒸気筒５から排出される蒸気Ｓに芳香を加味するための芳香剤を収容する凹部２７（図２参照）が形成されている。さらにまた、前記皿状体２５には、前記カバー部材Ａ内に籠もる熱気Ｈを排出させるための熱気排出口３４，３４が形成されている（図１および図７参照）。このようにすると、水タンク３の外周側および上部を囲むカバー部材Ａ内に籠もる熱気Ｈが熱気排出口３４，３４から外方へ排出されることとなり、カバー部材Ａ内部の温度上昇が抑えられ、カバー部材Ａ内面への結露発生を防止することができる。さらに、本実施の形態においては、前記係合段部２４には、周方向等間隔でリブ３５，３５・・が形成されている（図３参照）。該リブ３５，３５・・は、図１および図２に示すように、水タンク３の外周側および上部を囲むカバー部材Ａと該カバー部材Ａを嵌挿固定するための基台２との間に前記カバー部材Ａ内に籠もる熱気Ｈを排出させるための熱気排出用の隙間３６を設けるために寄与する。このようにすると、カバー部材Ａ内に籠もる熱気Ｈが熱気排出用の隙間３６から外方へ排出されることとなり、カバー部材Ａ内部の温度上昇が抑えられ、カバー部材Ａ内面への結露発生を防止することができる。
【００２７】
前記基台２の上部外周側（即ち、前記貯水部１５の底部外周側）には、前記水タンク３の底部に向かって光を照射する一対の光源２８，２８を装着するための一対の装着穴２９，２９が１８０°の位相差をもって形成されている。前記各光源２８は、基板３０上に植設された複数個（例えば、４個）のＬＥＤ３１，３１・・と、前記基板３０に対して取り付けられて前記ＬＥＤ３１，３１・・を覆蓋する透明カバー３２とからなっている。そして、前記透明カバー３２の外周においてその下端から所定寸法上方位置には、鍔部３２ａが一体に突設されており、該鍔部３２ａと前記基板３０とを締結具（例えば、ボルト等）を用いて締結することにより、透明カバー３２は、前記ＬＥＤ３１，３１・・を水密的に覆蓋した状態で基板３０に取り付けられることとなっている。また、本実施の形態においては、前記各光源２８は、前記装着穴２９の周縁下面から一体に垂設された環状リブ３３に対して前記透明カバー３２の鍔部３２ａを当接することにより前記貯水部１５の下面に対して下方から取り付けられることとなっている（図１参照）。つまり、前記各光源２８は、前記装着穴２９に対して下方から装着され、装着状態においては、前記透明カバー３２が、前記水タンク３の底部に近接するように前記貯水部１５の底面より突出されることとなっているのである。なお、前記貯水部１５の底部と前記透明カバー３２とはシール部材（図示省略）によりシールされることとなっている。このようにすると、貯水部１５にオーバーフローした水が装着穴２９から下方へ漏洩することがなくなる。
【００２８】
上記のように構成したことにより、水タンク３と蒸気筒５とを、両者間に所定の断熱空間１７を確保した状態で係合部（具体的には、係合突起２０，２１と環状突起１８，１９と）により一体的に係合しているので、蒸気筒５を通る蒸気Ｓの熱が水タンク３に伝わりにくくなり、水タンク３内の温度が上昇しにくくなるところから、水タンク３内の水が押し出されるということもなくなるという効果がある。しかも、水タンク３と蒸気筒５とが一体的に係合せしめられているところから、水タンク３着脱時には、蒸気筒５も必ず着脱されることとなり、水タンク３取付時に蒸気筒５の取付忘れがなくなるという効果もある。
【００２９】
また、この加湿器においては、水タンク３に収容され、給水弁１２を介して給水通路６の給水部６ａに供給された水は、給水通路６を介して蒸発部４に導入され、該蒸発部４において電気ヒータ９によって加熱された蒸発皿８により蒸発されて蒸気Ｓとなり、該蒸気Ｓは蒸気筒５を上昇して蒸気排出口１１から室内へ排出され、室内の加湿に供されるという加湿器本来の機能を発揮することは勿論であるが、本実施の形態においては、さらに次のような機能を発揮する。
【００３０】
即ち、電源が投入されると、光源２８，２８（具体的には、ＬＥＤ３１，３１・・）が点灯し、その光Ｌは、図１に示すように、水タンク３の底部から水タンク３内を透過し、水タンク３の側部からカバー部材２３を透過して外部へ放射されることとなる。従って、水タンク３内において水の揺らぎの影響を受けた光Ｌがカバー部材２３全体を照射することとなり、行灯のようなぼんやりとした明かり（即ち、間接照明的なライティング）が得られることとなる。通常、加湿器は就寝中に使用されることが多いところから、リラクゼーション効果が得られることとなる。しかも、加湿器運転時に点灯する光源２８，２８により加湿器の外周側が照明されることとなり、運転状態を視認できる。また、給水通路６からオーバーフローした水を一時的に貯留する貯水部１５を利用して光源２８，２８を配設したことにより、コンパクトな全体構成が得られる。また、光源２８，２８を水タンク３の底部に近接させて配設したことにより、少ない光量でも加湿器全体の外観を効果的に照明することができる。また、水タンク３を、蒸気筒５を囲む環状形状としたことにより、加湿器のコンパクト化を図ることができるとともに、光源２８，２８からの光が水タンク３を透過して加湿器全体の外観を照明することができるところから、パイロットランプとしての機能およびリラクゼーション効果が大いに増大する。
【００３１】
なお、光源は、一つあるいは複数の色が自動的あるいは手動的に選択できるようにしてもよく、室温、湿度、タンク残水量に応じて色を自動的に変更できるようにすることもできる。
【００３２】
また、光源は、複数のＬＥＤを一つのユニットとし、少なくとも加湿器本体の正面とその他の面とに配置するようにしてもよい。
【００３３】
さらに、上記実施の形態においては、光源（具体的には、透明カバー）と水タンク底部との間には、所定の隙間が形成されているが、透明カバーを完全に水タンク底部に接触させて、透明カバーが水タンク底部を下から支えるように配置することもできる。このようにすると、貯水部における貯水容量を稼ぐ空間を確保することができる。
【００３４】
第２の実施の形態
図８および図９には、本願発明の第２の実施の形態にかかる加湿器が示されている。
【００３５】
この場合、水タンク３と蒸気筒５とを一体的に係合させた状態において、水タンク３の給水弁１２と蒸気筒５との下端とが同一位置となるように構成されている。この場合、水タンク３と蒸気筒５とを一体的に係合させた状態で基台２に取り付けようとすると、給水弁１２と給水通路６の給水部６ａとが接触して取り付けにくくなる。そこで、本実施の形態においては、前記給水部６ａの上端口縁に大きめのＲ部３７を形成して、給水弁１２との接触を回避できるようにしている。このようにすると、給水弁１２と蒸気筒５との下端とが同一位置となるように構成したとしても、水タンク３の取付時に給水弁１２が給水部６ａに接触することがなくなり、取付作業が容易となる。
【００３６】
その他の構成および作用効果は、第１の実施の形態におけると同様なので説明を省略する。
【００３７】
第３の実施の形態
図１０には、本願発明の第３の実施の形態にかかる加湿器が示されている。
【００３８】
この場合、カバー部材Ａにおけるカバー２３の下端には、基台２の周壁１６の上端が外側から係合する係合段部３８が形成されている。従って、本実施の形態においては、基台２の周壁１６がカバー部材Ａを構成するカバー２３の下端に形成された係合段部３８に対して外側から係合せしめられることとなり、カバー部材Ａ内面（例えば、カバー２３の内面）に結露Ｗが生じた場合であっても、該結露Ｗは、矢印Ｗで示すように、下方に移動した後、基台２の上部の貯水部１５を経て給水通路６に流入することとなる。つまり、カバー部材Ａ内面に結露した結露水Ｗは、全て貯水部１５および給水通路６に流入することとなり、加湿器が載置されている台上へ滴下する危険性を回避することができるのである。
【００３９】
その他の構成および作用効果は、第１の実施の形態におけると同様なので説明を省略する。
【００４０】
本願発明は、上記各実施の形態に限定されるものではなく、発明の要旨を逸脱しない範囲において、適宜設計変更可能なことは勿論である。
【図面の簡単な説明】
【００４１】
【図１】本願発明の第１の実施の形態にかかる加湿器の縦断面図である。
【図２】図１のII−II断面図である。
【図３】本願発明の第１の実施の形態にかかる加湿器における基台と光源との関係を示す斜視図である。
【図４】本願発明の第１の実施の形態にかかる加湿器における基台の平面図である。
【図５】本願発明の第１の実施の形態にかかる加湿器における水タンクと蒸気筒の関係を示す分解斜視図である。
【図６】本願発明の第１の実施の形態にかかる加湿器における水タンク（蒸気筒を取り付けた状態）の側面図である。
【図７】本願発明の第１の実施の形態にかかる加湿器におけるカバー部材を構成する皿状体の拡大斜視図である。
【図８】本願発明の第２の実施の形態にかかる加湿器における水タンク（蒸気筒を取り付けた状態）の側面図である。
【図９】本願発明の第２の実施の形態にかかる加湿器における基台の平面図である。
【図１０】本願発明の第３の実施の形態にかかる加湿器の半裁縦断面図である。
【符号の説明】
【００４２】
２は基台
３は水タンク
４は蒸発部
５は蒸気筒
６は給水通路
１１は蒸気排出口
１５は貯水部
１７は断熱空間
１８，１９は係合部（環状突起）
２０，２１は係合部（係合突起）
３４は熱気排出口
３６は隙間
Ａはカバー部材
Ｈは熱気
Ｓは蒸気
【図１】
2009281677.tif 000003
【図２】
2009281677.tif 000004
【図３】
2009281677.tif 000005
【図４】
2009281677.tif 000006
【図５】
2009281677.tif 000007
【図６】
2009281677.tif 000008
【図７】
2009281677.tif 000009
【図８】
2009281677.tif 000010
【図９】
2009281677.tif 000011
【図１０】
2009281677.tif 000012